(57)【要約】
【課題】内部を区分する可動仕切体の仕切位置の変更操作を、簡単且つスムーズに行う。 
【解決手段】容器本体、該容器本体の底部に設けた係合底部、上枠、及び、可動仕切体とからなる分別収納容器であって、
該係合底部には、波形の凹凸が形成され、
該上枠は、少なくとも２本のガイド体からなり、
該可動仕切体は、前記上枠のガイド体に係止する係止部を有する上端部材を有していると共に、前記波形凹凸面に嵌入する下端部材を有しており、
前記上枠及び前記可動仕切体の上端部材のいずれかは、収納袋を係止する係止部として構成とされていることを特徴とする分別収納容器。
【選択図】２
【実用新案登録請求の範囲】
【請求項１】
容器本体、該容器本体の底部に設けた係合底部、上枠、及び、可動仕切体とからなる分別収納容器であって、
該係合底部には、波形の凹凸が形成され、
該上枠は、少なくとも２本のガイド体からなり、
該可動仕切体は、前記上枠のガイド体に係止する係止部を有する上端部材を有していると共に、前記波形凹凸面に嵌入する下端部材を有しており、
前記上枠及び前記可動仕切体の上端部材のいずれかは、収納袋を係止する係止部として構成とされていることを特徴とする分別収納容器。
・  
【請求項２】
係合底部の波形の凹凸は、連続して形成され、かつ１列あるいは複数列に形成されていることを特徴とする請求項１に記載の分別収納容器。
【請求項３】
係合底部の波形の凹凸が、凸部の高さに変化をもたせたことを特徴とする請求項１又は２に記載の分別収納容器。
【請求項４】
係合底部が、底部に波形の凹凸面に形成されたトレー状の容器であることを特徴とする請求項１乃至３項のいずれかに記載の分別収納容器。
【請求項５】
上枠を構成するガイド体の上面に、凹部あるいは凸部を形成したことを特徴とする請求項１乃至４項のいずれかに記載の分別収納容器。
【請求項６】
上枠は、４本の棒状部材によって、方形に形成されていることを特徴とする請求項１乃至５項のいずれかに記載の分別収納容器。
【請求項７】
上枠は、棒状部材の少なくとも一辺が着脱自在に取り付けられていることを特徴とする請求項６に記載の分別収納容器。
【請求項８】
可動仕切体は、外形が方形であって、上端枠部材の両端は、縦枠部材との接合箇所から延長されて上枠のガイド体への懸架部とされ、面部は、縦桟、横桟、格子桟、網目体、可撓性幕体、のいずれかあるいは、組み合わせによって構成されていることを特徴とする請求項１乃至７項のいずれかに記載の分別収納容器。
【請求項９】
容器本体は、上面が開放され、４方の側面体及び底面体の５面体から構成され、各面体は、板体、格子枠体、網枠体、桟を設けた枠体から適宜選択されることを特徴とする請求項１乃至８のいずれかに記載の分別収納容器。
【請求項１０】
少なくともひとつの側面体が開放可能に構成されている請求項９記載の分別収納容器。
【請求項１１】
投入口を形成した蓋体を備えたことを特徴とする請求項１乃至１０項のいずれかに記載の分別収納容器。
【請求項１２】
請求項１乃至１１項のいずれかに記載の分別収納容器にキャスターを設け、該分別収納容器を引き出し自在に組み込んだ分別収納キャビネット。
【請求項１３】
収納袋の口部を上枠及び可動仕切体の上端部材に係止する係止具を具備することを特徴とする請求項１乃至１２項のいずれかに記載の分別収納容器。
【請求項１４】
係止具がクリップであることを特徴とする請求項１３に記載の分別収納容器。
【請求項１５】
係止具が、分別用に仕切られた区画に挿入する袋であって該紐の開口部に紐を取付け、該紐を係止具とすることを特徴とする請求項１〜１４のいずれかに記載の分別収納容器。
【考案の詳細な説明】
【技術分野】
【０００１】
本考案は、缶、プラスチック、生ゴミなどの分別収集用に用いる分別収納容器に関する。
【背景技術】
【０００２】
容器の内部に設けられた係合手段に嵌合して固定した堅い仕切で分離した分別収納容器が知られている。しかし、箱は深さが４０〜７０ｃｍ程あるため、上から係合手段（リブ）に差し込もうとしても、嵌合しにくくなっていた。又、下部を差し込んだ後に上部も嵌合するため、下部がはずれてしまうこともあった。
また、この堅い仕切板で区分された容器に、ビニール袋などに厚い紙などを入れて、容量が増えてくると、ゴミが直方体のスペースだけで収まらず、となりに、ふくれてしまうことがあり、その場合、袋を上から取り出す時に側面の仕切にひっかかり、袋を取り出しにくく、袋が破れるなどの問題があった。
従来例としては、バーを案内レールに摺動自在に装着し、バーにゴミ袋を止着するタイプの分別収納容器（特許文献１：実公平０８−９０４１号公報）、仕切体を容器上辺と下辺に設けた複数の差し込み溝に挿入して、容器内部を区画した分別収納容器（特許文献２：特開平０９−５０００７８号公報、特許文献３：実開平０７−２１６０２号公報、特許文献４：特開平１１−３４３００１号公報）が知られている。  
特許文献４（特開平１１−３４３００１号公報）に示されたものは、分別収納に適するように仕切パネルを有しているが、その仕切パネルは取付け位置変更可能に構成されていない。特許文献３（実開平０７−２１６０２号公報）に示された分別収納容器１００（図６）のように、その内部を区分する仕切パネル２００を取付け位置変更可能に構成し、ゴミの量や種類に応じて収納槽を増減できるものがあった。
図６に示す従来の分別ゴミ容器１００にあっては、仕切パネル２００の下端部を係止固定する止具３００が、リブ状の突片で構成されていたため、区分位置を変更するに際して、仕切パネル２００を持ち上げ、該下端部をリブ状突片から引き抜き、その後、別位置に形成されているリブ状突片３００ｂに差込む操作が必要であった。この差し替え操作は、リブ状の突片で構成されている止具３００への差し込み操作が必要であり熟練しないと、仕切パネル２００の下端を目的のリブ間に正しく差し替えることが困難であった。
【特許文献１】実公平０８−９０４１号公報
【特許文献２】特開平０９−５０００７８号公報
【特許文献３】実開平０７−２１６０２号公報
【特許文献４】特開平１１−３４３００１号公報
【考案の開示】
【考案が解決しようとする課題】
【０００３】
本考案は、仕切パネルの取り付け、差し替え及び、袋の取出し性を改善した分別収納容器を提供することを目的とする。
【課題を解決するための手段】
【０００４】
（１）容器本体、該容器本体の底部に設けた係合底部、上枠、及び、可動仕切体とからなる分別収納容器であって、
該係合底部には、波形の凹凸が形成され、
該上枠は、少なくとも２本のガイド体からなり、
該可動仕切体は、前記上枠のガイド体に係止する係止部を有する上端部材を有していると共に、前記波形凹凸面に嵌入する下端部材を有しており、
前記上枠及び前記可動仕切体の上端部材のいずれかは、収納袋を係止する係止部として構成とされていることを特徴とする分別収納容器。
（２）係合底部の波形の凹凸は、連続して形成され、かつ１列あるいは複数列に形成されていることを特徴とする（１）に記載の分別収納容器。
（３）係合底部の波形の凹凸が、凸部の高さに変化をもたせたことを特徴とする（１）又は（２）に記載の分別収納容器。
（４）係合底部が、底部に波形の凹凸面に形成されたトレー状の容器であることを特徴とする（１）乃至（３）のいずれかに記載の分別収納容器。
（５）上枠を構成するガイド体の上面に、凹部あるいは凸部を形成したことを特徴とする（１）乃至（４）のいずれかに記載の分別収納容器。
（６）上枠は、４本の棒状部材によって、方形に形成されていることを特徴とする（１）乃至（５）のいずれかに記載の分別収納容器。
（７）上枠は、棒状部材の少なくとも一辺が着脱自在に取り付けられていることを特徴とする（６）に記載の分別収納容器。
（８）可動仕切体は、外形が方形であって、上端枠部材の両端は、縦枠部材との接合箇所から延長されて上枠のガイド体への懸架部とされ、面部は、縦桟、横桟、格子桟、網目体、可撓性幕体、のいずれかあるいは、組み合わせによって構成されていることを特徴とする（１）乃至（７）のいずれかに記載の分別収納容器。
（９）容器本体は、上面が開放され、４方の側面体及び底面体の５面体から構成され、各面体は、板体、格子枠体、網枠体、桟を設けた枠体から適宜選択されることを特徴とする（１）乃至（８）のいずれかに記載の分別収納容器。
（１０）少なくとも側面体が開放可能に構成されている（９）記載の分別収納容器。
（１１）投入口を形成した蓋体を備えたことを特徴とする（１）乃至（１０）のいずれかに記載の分別収納容器。
（１２）（１）乃至（１１）のいずれかに記載の分別収納容器にキャスターを設け、該分別収納容器を引き出し自在に組み込んだ分別収納キャビネット。
（１３）収納袋の口部を上枠及び可動仕切体の上端部材に係止する係止具を具備することを特徴とする（１）乃至（１２）のいずれかに記載の分別収納容器。
（１４）係止具がクリップであることを特徴とする（１３）に記載の分別収納容器。
（１５）係止具が、分別用に仕切られた区画に挿入する袋であって該紐の開口部に紐を取付け、該紐を係止具とすることを特徴とする（１）乃至（１４）のいずれかに記載の分別収納容器。
【考案の効果】
【０００５】
作用効果は次のとおりである。
（１）容易にビニール袋などのゴミ収容袋を固定でき、可動仕切が移動でき、フレキシブ
ルに容易に収容スペースを変更できるストッカー構造である。
（２）底には、波形があり、仕切下部をガイドするだけなので位置決めのための嵌合が容
易である。
（３）ごみ量が増減しても、途中から仕切を動かすことができる。基本的に仕切体の上部をガイドの水平部に吊下げ係止しているだけなので移動が容易である。
（４）袋を取り出す場合、仕切にひっかかりにくくなっている。
（５）係止クリップを用いるとより簡単に袋を固定できる。
（６）紐つき袋を用いると紐によって係止し、紐による袋の口締めができ、特別なクリップが不用である。
（７）本考案は、底にトレーを設けた場合、飲み残のジュースや生ゴミの汁などを受け止
め、溜めることができるので、衛生的で周囲を汚損しない。
（８）上枠の一部を開閉可能とし、また、容器本体の側面を開閉可能とすることにより、
ゴミ袋を側方へ引き出すことができるので、労力の軽減及びゴミ袋を持ち上げることが
ないので、袋の底の穴あきなどからの汁の飛散防止がはかられ、作業員の汚損、周囲の
汚れ防止が向上する。
（９）材質や構造を選択することによって、屋外、屋内、家庭など、幅広い適用ができる。
【０００６】
各請求項に記載された実施態様に対応する作用効果は次のとおりである。
請求項１に記載した分別収納容器は、係合底部が波形の凹凸面に形成されており、上枠が平行配置された２本のロッドを有したガイド体からなり、可動仕切体が前記上枠のロッドに係止する係止部を有する上端部材を有していると共に、前記係合底部に係合する下端係合部を有した構成とされているため、可動仕切体を任意の位置に位置決めでき、またその区分位置を変更する際にも可動仕切体を少し上方へ持ち上げながら、拡張方向へ引くことにより、係合底部に係合している下端係合部は係合状態を解除され、波型の凸部の山を乗り越えて隣接した他の係合底部に係合し、その位置で再係合し固定される。この区分変更の操作は上述したとおり簡単であり、また確実実行できるものである。
【０００７】
請求項２に記載した分別収納容器は、凹凸波形が連続しているので、位置決めが自由である。１列ないしは２列に設けることにより、汚れ易い谷部が少なくなり、容器の清掃が容易で、衛生を保つことができる。また、波を左右方向と前後方向の両方を備えた凹凸とすると、分別方向も左右と前後の双方を選択可能とすることができる。
請求項３に記載した分別収納容器は、可動仕切体の下端部材は、凹凸の傾斜に沿って案内され、谷部に嵌入して位置決めされる。所定位置の凸部の高さを高くすることによって、基本的仕切位置を設定することができる。上枠のガイドにも対応する位置に、目印を付けると、目安となる仕切の位置決めも容易となる。目安があると幅の調整も容易となる。
請求項４に記載した分別収納容器は、トレー状容器を使用することによって、缶や生ゴミから出た液体などを受け止めることができる。トレーは着脱して清掃することができ、分別容器を清潔に、衛生的に保つことができる。
請求項５に記載した分別収納容器は、可動仕切体の係止部をガイド体の上面に載置する構造とし、可動仕切体を滑らして移動を容器にしたものであるが、ガイド体の表面に緩い凹凸を設けることにより、移動の容易性と停止性を両立することができる。
請求項６に記載した分別収納容器は、４本の棒状部材で、上枠を構成することによって、左右あるいは、前後の対向する棒状部材をガイド体とすることができること、また、方形とすることによって、容器本体の上部を補強する機能が強化され、上方が開口されている分別収納容器の強度の向上に役立つ。
請求項７に記載した分別収納容器は、着脱自在とした一辺を設ける事により、この一辺を設けた側面から、ゴミ袋を取出すことができ、水平移動による取出であることから、作業労力が軽減される。また、ゴミ袋の破損の危険性も低下する。ゴミ作業には高齢者が多いので、有意義な構造である。
請求項８に記載した分別収納容器は、可動仕切体は、面板体とするよりも、桟などによって、空間が設けられていると、軽量化すること、缶や、発泡プラスチックなど角ばったものの角部が隙間に押し込まれて、面板よりも収容効率が高くなる。また、可撓性幕体においても同様に柔軟的に対応できる。本考案は、可動仕切体が移動し易いので、仕切体の隙間に嵌り込んでも、容易に取出すことができるものである。
請求項９に記載した分別収納容器は、容器本体の構造部材をフレーム構造、板面体、など適宜選択することにより、用途、設置場所に応じた構造とすることができる。フレーム構造は、軽量化でき、強度もあるので、大型にすることができ、公園や、イベント会場などの大型の分割収納容器に適している。また、洗い易さなどのメンテナンス性も高いので、使用がはげしいレストランの厨房などにも向く。外装板に化粧板を設けた場合は、家庭の台所のシステムキッチンのキャビネットスタイルなどに使用できる。
請求項１０に記載した分別収納容器は、容器本体の１側面を開放自在とすることにより、ゴミ袋の取出しの容易性と、清浄性の向上に寄与する。
請求項１１に記載した分別収納容器は、分別対象別の投入口を設けた蓋体を利用することにより、分別性の向上を図ることができる。可動仕切りの材部は、ゴミ袋の取りだし容易性を損なうことはない。また、投入口の間隔の範囲において、仕切り位置の調整も可能である。
請求項１２に記載した分別収納容器は、キャスターを設けることにより、移動性を向上させた。キャビネット組み込みタイプの場合は、引き出すことが必要なので、利便性が向上する。
請求項１３に記載した分別収納容器は、区画された空間にゴミ袋をセットする機能を向上させる。
請求項１４に記載した分別収納容器は、クリップを用いることにより、着脱が容易となる。
請求項１５に記載した分別収納容器は、ゴミ袋の口部に紐を設けることにより、分別収納容器へのゴミ袋の取付けと、回収したゴミ袋の口を封止するために役立つ。特に、口の上部まで詰め込まれた分別ゴミを回収する場合、口を封止する作業は困難であり、紐などを常備する必要がなく、口を封止できることは、ゴミ回収作業性の向上には、有用である。
本分別収納容器とゴミ袋を専用の組み合わせとするとさらに利便性を高めることができる。
【考案を実施するための最良の形態】
【０００８】
本分別収納容器を構成する素材の材質は特に限定されるものでなく、使用場所、用途に応じて適宜選択できる。
例えば、金属製、プラスチック製、木材などを単一種類の素材あるいは組み合わせて使用できる。
製法としても、特別限定するものではない。
例えば、容器本体は、プラスチックの射出成形による一体成型あるいは、パイプフレームによる組立型、化粧パネルを面板に使用した箱型などがある。
容器の外装面も、桟、メッシュ、幕、板体などを用いることができる。
【０００９】
上枠は、金属の棒状部材が強度的にも優れている。形状は丸パイプ、角パイプ、アンクル材などを使用できる。上枠のうちガイド機能を果す部材の表面には、緩やかな凹凸を付与して、可動仕切体の滑り止め機能をもたせることができる。区画の標準位置を示す目印を付すこともできる。この目印は、底部の波型の山部分の大きさをこの目印に合わせて大きくすると、可動仕切の上下を標準位置に合せ易くなり、また、左右への移動の目安も容易である。また、底の波のピッチと上枠のガイド部材に設ける凹凸のピッチを同じにすると、同期性が得られる。
上枠は少なくともガイド機能を果すために、対向する２本の部材で構成される必要があり、４辺で方形に構成された場合は、左右、前後を選択して、ガイド体とすることができ、分別の区画の方向が選択できる。４辺で構成した場合は、容器本体の上部を構造上補強する機能も有するので、容器の変形や破損上の耐久性が向上する。
４辺とした場合は、１辺を開閉可能とすることにより、開放した際にゴミ袋を取り出す作業が容易となる。高齢者や婦人にとって、操作し易い構造である。
【００１０】
可動仕切体は基本外形が長方形などの方形である。
上端枠部材は、両端が延長されており、延長部分は、ガイド部材に懸架する機能を有する。この延長部分の懸架位置を変更することにより、区画の上部を変更することになる。
可動仕切体が何らかの原因によって、斜になって、ガイド体からはずれてしまう事故を防ぐために、はずれとめ用として、延長端部を下方に屈曲あるいは、下方に突起などを設けると安全性が向上する。
下端枠部材は、底面の凹凸の谷部に嵌り込んで、区画の下端位置を決める役割を果たす。
凹凸の斜面に案内されて、谷部に納まる形状であれば、特に制限はない。下端枠の一部に凸部を設け、該凸部を谷部に嵌め込むようにしても良い。
可動仕切体の上下の長さは、上端枠部材がガイド体に懸架した状態で、底部の谷部に下端枠部材が納まる大きさとする。ただし、やや長くても、可動仕切体が多少斜めになった姿勢となるが、区画するためには、大きな支障はない。
可動仕切体の中間部は、軽量化のためもあって、横桟や格子、メッシュ、幕体などが適している。剛性の板体は重さもあるし、角ばったものが投入された場合に、納まりが悪いと嵩高となってしまい、収容効率が悪い。
これに対して、桟などで隙間があいていると、その隙間によって、柔軟に姿勢の変化を許容することができ、収容効率を上げることができる。この場合、仕切が固定されていると、桟などの間に嵌り込んだ角部などが邪魔して、ゴミ袋の取り出し作業の妨げとなり、袋の破損などの原因となるので、不良の原因となるが、本考案は、可動仕切であるので、取り出し作業時に可動仕切りをずらして、このような不都合は解消できるものである。
【００１１】
底部の波形の凹凸は、連続して設けられると、１ピッチ毎に位置を移動することができ、区画の変更が容易である。波形の形はサインカーブ、三角形などが例示でき、可動仕切体の下端枠部材が斜面に沿って、案内され、谷底部で安定する。
凹凸の山の高さを所定箇所において、高くすると、位置きめの目安となる。上枠のガイド体の目印と同期させると、上下の目安となる。
波形の凹凸は、一列あるいは2列などの複数列設けても良い。波形は左右と前後を組み合わせて設けることができ、このように直角に組み合わせた場合は、可動仕切体の設置方向も左右あるいは前後の方向を選択できる。
波形の凹凸を設ける底部は、容器本体の底部とすることもできるし、波形の凹凸を形成したトレーを用いることもできる。
トレーを用いた場合は、容器の底部にこぼれ易い、カスや汁などの受け溜め用として利用できる。溜ったカスや汁などを取り出して処分し易く、清掃もし易いので、汚れ易い分別収納容器の衛生管理が向上する。特に、５０ｃｍ以上深いことが多い分別収納容器においては、底部までクリーンに保つことは困難であるので有効である。
また、容器本体の１側面を開閉できる構成と併用することにより、底に装着するトレーの着脱が容易となる。
【００１２】
分別の種類に応じた投入口を設けた蓋を設けることができる。蓋を設けると、区分の位置変更の自由度が下がるが、誤投入が防止でき、仕分け効率が上がる。投入口の間隔の範囲内では、依然として区分の変更調整は可能であり、ごみ袋を取り出す作業時に可動仕切体を移動させることができ、作業性を改善できることに変わりはない。
【００１３】
用途は、公園、屋外、店舗、工場、事務室、自販機コーナー、調理場、食堂、家庭など多用途があげられ、それぞれの用途に応じて、フレームのみのタイプから化粧張りの外装を施したタイプまで、各種のタイプを備えることができる。
分別収納対象物も、ゴミや回収廃棄物に限らず、分別して収容するものであれば良い。一般的には、空缶、ペットボトル、不燃物、生ゴミ、紙、発泡プラスチックなど、ごみの分別が対象としてあげられる。
大型のものや、キャビネット組込みタイプでは、キャスターを設けて、移動性を付与することができる。
イベント会場や仮設の会場への運搬性を向上させるために、折畳みタイプとすることもできる。
【実施例】
【００１４】
以下、図面を参照して本考案の１実施例を説明する。  
図１（ａ）は、キャビネットに組み込んだ分別収納容器の斜視図である。屋内用で、化粧性をもたせた例である。家庭用としても利用できる。
図１（ｂ）は、図１（ａ）で示したキャビネットタイプから分別収納容器Ａを引き出した斜視図である。
図２は、分別収納容器の主構成部材を示す図である。容器本体１０と上枠２０と係合底部３０と可動仕切体４０から構成されている。図示の例では、容器本体１０の側面部１３が開閉可能であって、開放状態が図示されている。
図３は、分別収納容器の上枠２０と可動仕切体４０を示す図である。
図４は、分別収納容器の底部に設置するトレー状容器３１を示す図である。
図５は、分別収納容器の内部を区画する分別区画概要を示す図である。上枠２０に２本の可動仕切体４０が懸架され、トレー状容器３１の波形凹凸３３に可動仕切体４０の下端部を係止して位置決めした状態を示している。
図６は、区画された区間へ分別収納用の袋６０をセットした収納袋の装着した状態を示す図である。区画した枠部材に袋６０の上部をかぶせ、その上からクリップ５０を装着して、挾着固定しているものである。図６（ａ）は装着した状態を示し、図６（ｂ）はクリップ５０の斜視図、図６（ｃ）は、ガイドロード２１にクリップ５０を装着した状態の断面図を示している。
【００１５】
図１（ａ）において、本考案に係る分別収納容器Ａが、キャビネットＢと共に示されており、この例においては、分別収納容器Ａは、空缶等の投入回収作業を行わない時にあっては、キャビネットＢに格納することができる。 
分別収納容器Ａは、図１（ｂ）に示すように、キャビネットＢから引き出されて、例えば空缶、空瓶、ペットボトル等を種類毎に区分して回収するための分別収納容器として使用される。 
【００１６】
分別収納容器は、図２に示すように、係合底部を有する容器本体１０、上枠２０、及び可動仕切体４０とから構成されている。
容器本体１０は、板状材からなる前面部１１、背面部１２及び左右側面部１３、１３を有し、上方が開放された箱状に形成されている。
前面部１１、背面部１２及び左右側面部１３、１３は、ネジ止めにより又は接着、溶接等により箱状に形成される。図２に示す例では、背面部１２は、前面部より低く形成されており、側面部は背面部より更に低く形成されている。また、同例では、側部１３は、ヒンジ止めされ扉状に外側へ開閉できるように構成されている。
各面部材は、化粧合板、合成樹脂板、パンチングメタル板、エキスバンドメタル板、格子体、網板等の適宜の材料で構成できる。合成樹脂板で構成するときは、容器本体を一体成形できる。
【００１７】
容器本体１０の底部１４には、図１（ｂ）に示すように、キャスタ１５が取り付けられており、分別収納容器Ａの移動が容易に行える。また、キャビネットＢと組合せ使用するものにあってはキャビネットＢ内への出し入れが容易に行える。 
【００１８】
上枠２０は、図３に示すように、平行配置された２本のガイドロッド２１、２１と２本のガイドロッド２１、２１の端部が連結ロッド２２、２２により固着され枠状に形成されている。各連結ロッド２２、２２は、ガイドロッド２１、２１との固着位置から更に外方へ突出した延長部２３を持ち、延長部２３の端部には取付片２４が設けられている。 
取付片２４にはネジ穴２５が形成されており、該ネジ穴２５を介して、上枠２０が容器本体１０の前面部１１及び背面部１２にネジ止めにより取り付けられている。 
上枠２０はステンレス製パイプ材で形成されている。合成樹脂等他の適宜の材料で形成できる。
ガイドロッド２１の上面には、図示は省略するが、凹部が設けられている。該凹部は、後述する可動仕切体の係止部を係止する凹部として設けられている。係止部を係止する凹部は、突部として形成してもよい。
【００１９】
可動仕切体４０はステンレス製パイプ材で作られ、図３（ｃ）に示すように、２本の縦枠部材４を有しており、上端に、前記上枠のガイドロッド２１に係止する係止部を有する上端枠部材４２が形成されている。係止部は、上端枠部材４２の両端延長部が下方へ折曲した係止部４４として形成されている。この係止部４４は、上枠２０に対して取外し自在に掛止される。
両縦枠部材４１、４１間には、横桟４６が掛け渡されて補強されている。この例では、可動仕切体４０は桟で補強された枠状に形成されているが、網目板、格子、又は、穴あき板等も採用できる。合成樹脂で作る場合は、全体を一体成形できる。
可動仕切体４０は、ステンレス鋼材や合成樹脂等他の適宜の材料で棒状部材やパイプ状部材で形成することもできる。
可動仕切体４０の数は、回収品の区分数により必要な枚数が使用される。 
【００２０】
容器本体１０の係合底部１４は、この例では、図４に示すように、係合底部が、トレー状の容器３１として構成されており、トレー状の容器３１の底部３２には１列の波形の凹凸面３３が形成されている。
トレー状の容器３１は、容器本体の底部を構成するように、該容器本体の底部に位置するように取り外し自在に載置されている。
トレー状の容器３１は、合成樹脂により皿状に成型されており、その底部には係合底部３０となる波型に連続した波形の凹凸面３３が形成されている。波形の凹凸面３３の谷部３５に可動仕切体４０の下端枠部材４５が嵌入し保持固定され位置決めされる。
この例では、容器本体１０の底部１４は、トレー状容器３１を取り外し自在に載置することで構成されているが、容器本体１０に底板を設けその底板に波型の凹凸面３３を直接形成して形成してもよい。
清掃時に、トレー状の容器３１を取り出す際は、容器本体１０の上方開口部から行うことができるが、容器本体の側部を図２に示すように扉状に形成し開閉自在に構成すれば、側部を外方へ開き開放することにより、側方から簡単に取り出すことができる。
【００２１】
図５は、分別収納容器の内部を区画する分別区画概要を示す図である。上枠２０に２本の可動仕切体４０が懸架され、トレー状容器３１の波形凹凸３３に可動仕切体４０の下端部を係止して位置決めした状態を示している。
【００２２】
可動仕切４０がセットされた後、空缶等を収容するプラスチックフィルムからなる収納袋６０が、図６に示すように、可動仕切４０の上端枠部材４２及び上部枠２０のガイドロッド２１、２１と連結ロッド２２、２２にクリップ５０で止着される。クリップ５０は、バネ式の紙挟み状クリップとすることもできる。  
【００２３】
上述した実施例の作用を説明する。 
図５に示された、分別区画概要図に、組合せが示されている。
可動仕切体４０の上端枠部材４２の突出端部４３の下方に開放している係止部４４をガイドロッド２１、２１に係止する位置まで下降させると、可動仕切体４０の下端枠部材４５はトレー状容器３１に形成されている波型の凹凸面３３の凸部３４付近で接触し始める。その時、下端枠部材４５は、凸部３４付近に到達し接触するようなことがあっても、波型の凹凸面３３が曲面に形成されているため、可動仕切体４０は降下操作に従って谷部３５へと滑らかに案内されてゆく。下端枠部材４５は、波型の凹凸面３３の所定の谷部３５に納まり、その位置で安定的に保持される。 
波型の凹凸面３３を丸味のあるカーブ（サインカーブ状など）に形成すれば、凸部３４の頂上付近は傾斜が緩やかで、下方に行く従い傾斜が急になるから、可動仕切体の下端部をガイドするのに好ましい。  
また、丸味のあるカーブの波型の凹凸面３３は、脚部の差し替えを行う場合にも、脚部４５の凸面の乗り越えが円滑に行なえて好ましい。 
【００２４】
可動仕切体４０を取り付けた後、図６に示すように、必要な枚数分のプラスチックフィルムからなる収納袋６０が、可動仕切体４０の上端枠部材４２及び上枠２０のガイドロッド２１、２１と連結ロッド２２、２２にクリップ５０で止着される。
空缶やペットボトル等の回収品は、止着された収納袋６０の開放口から投入され収納されてゆく。 
【００２５】
収納区分位置を変更するために、可動仕切体４０を移動するときには、可動仕切体４０を少しだけ持ち上げ区画を拡張する側へ引っ張ると、下端部は波型の凹凸面３３の滑らかな傾斜面に沿って一山分ずつスムーズに凸部３４を乗り越えてゆき、可動仕切体４０を下降させた位置で谷部３５に納まり保持固定される。 
可動仕切体４０を一旦設定し、回収の最中に、空缶やペットボトル等のゴミの回収量に見込み違いが生じ、何れかの収納スペースを広げる必要が生じた場合には、可動仕切体４０を少しだけ持ち上げ気味にして、拡張方向へ引けば、凸部３４を乗り越えて、容器本体１０内における可動仕切体４０による仕切位置を拡張できる。 
【００２６】
収納袋６０を容器本体１０から引き出す際に、可動仕切４０に引っ掛かりにより取り出しが出来ない場合には、可動仕切４０をずらして収納区分を広げれば収納袋６０の取り出しが支障なく行える。
【図面の簡単な説明】
【００２７】
【図１（ａ）】キャビネット組み込み分別収納容器
【図１（ｂ）】分別収納容器引き出し図
【図２】分別収納容器主構成部材
【図３】分別収納容器上枠、可動仕切体図
【図４】トレー状容器
【図５】分別区画概要図
【図６】収納袋装着図
【図７】従来図
【図１（ａ）】
0003101300.tif 000002
【図１（ｂ）】
0003101300.tif 000003
【図２】
0003101300.tif 000004
【図３】
0003101300.tif 000005
【図４】
0003101300.tif 000006
【図５】
0003101300.tif 000007
【図６】
0003101300.tif 000008
【図７】
0003101300.tif 000009